(57)【要約】  本発明は、棒状化粧料を保持するとともに下部に係合部を備える皿部材と、前記係合部が係合する皿部材用ガイド溝を有するとともに、身部材に設けられた回転制御部が係合する身部材用切割り溝を有する内筒部材と、前記係合部が係合する誘導溝を備えるとともに、その内周面に前記身部材用切割り溝に係合する前記回転制御部を有する前記身部材と、前記係合部が係合するとともに、皿部材を上下方向に移動させる螺旋溝が内周面に形成された螺旋部材と、前記身部材の下端部に設けられたハカマ部材とで構成され、前記皿部材用ガイド溝は、その下部にクランク状の屈曲部を有するとともに、前記内筒部材の下端部まで達するように形成され、前記身部材用切割り溝は、その下部に円周方向に傾斜する傾斜部を有し、前記螺旋部材を回転させて前記皿部材を上昇させると、前記内筒部材は、前記屈曲部に前記皿部材の係合部が当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇することを特徴とする棒状化粧料収納容器であって、組立が容易で、かつ、皿部材がたわみづらい棒状化粧料用収納容器を得ることを特徴とする。
2019142847.tif 000002
【特許請求の範囲】
【請求項１】
棒状化粧料を保持するとともに下部に係合部を備える皿部材と、前記係合部が係合する皿部材用ガイド溝を有するとともに、身部材に設けられた回転制御部が係合する身部材用切割り溝を有する内筒部材と、前記係合部が係合する誘導溝を備えるとともに、その内周面に前記身部材用切割り溝に係合する前記回転制御部を有する前記身部材と、前記係合部が係合するとともに、皿部材を上下方向に移動させる螺旋溝が内周面に形成された螺旋部材と、前記身部材の下端部に設けられたハカマ部材とで構成され、
前記皿部材用ガイド溝は、その下部にクランク状の屈曲部を有するとともに、前記内筒部材の下端部まで達するように形成され、前記身部材用切割り溝は、その下部に円周方向に傾斜する傾斜部を有し、前記螺旋部材を回転させて前記皿部材を上昇させると、前記内筒部材は、前記屈曲部に前記皿部材の係合部が当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇する棒状化粧料収納容器。
【請求項２】
前記身部材の上端部には、開閉自在な蓋体が設けられ、該蓋体は付勢手段により蓋が閉じる方向に付勢されていることを特徴とする請求項１に記載の棒状化粧料収納容器。
【請求項３】
前記付勢手段は、前記身部材の上部及び前記蓋体に形成された１対の係止片と、該１対の係止片に係止された環状の弾性体とで構成されていることを特徴とする請求項２に記載の棒状化粧料収納容器。
【請求項４】
前記螺旋部材の表面には、すべり防止機構が設けられていることを特徴とする請求項１乃至請求項３のいずれかに記載の棒状化粧料収納容器。
【請求項５】
前記身部材用切割り溝には、前記傾斜部の下端部からさらに円周方向に延在する係止部が形成されており、皿部材を上昇させた場合には、前記係止部に回転制御部が入り込むことを特徴とする請求項１乃至請求項４のいずれかに記載の棒状化粧料収納容器。
【発明の詳細な説明】
【技術分野】
【０００１】
本発明は、口紅等の棒状化粧料を保持する棒状化粧料収納容器に関する。
【背景技術】
【０００２】
従来、棒状化粧料収納容器において内筒部材が上昇し、その後に皿部材が上昇して棒状化粧料が露出するものとしては、「棒状化粧品を出没自在に収納する棒状化粧品容器において、棒状化粧品の下部を保持する受皿と、この受皿を上下方向へ摺動自在に内装し、棒状化粧品の少なくとも上端部を収納するスリーブと、このスリーブを上下方向へ摺動自在に内装すると共に、上端に開口部を有する中筒と、この中筒に対して軸方向への摺動を抑止すると共に、周方向へは回動自在に外装した外筒と、前記中筒の開口部端に開閉自在に装着したキャップと、前記外筒又は中筒に対して中筒又は外筒を回動させることにより、前記スリーブを棒状化粧品に先立って開口部から繰り出し、その先端で前記キャップを開放すると共に、最終的にはスリーブと棒状化粧品とを中筒の開口部から突出させる位置まで繰り出す昇降機構と、を具備し、前記昇降機構が、前記受皿の筒壁外面に突設した第一突子と、前記スリーブの筒壁軸方向に沿って透設した第一案内溝及び筒壁外面に突設した第二突子と、スリーブ側の上記第一案内溝に重なるように前記中筒の筒壁軸方向に沿って透設した第二案内溝及び前記第二突子を係合させるべく前記中筒の筒壁軸方向に沿って透設したカム溝と、前記外筒の筒壁内面に前記スリーブ側の第一案内溝及び中筒側の第二案内溝に同時に貫通させた受皿側の前記第一突子の先端を係合させるように刻設した螺溝と、によって構成し、前記カム溝は、前記中筒の筒壁軸方向に沿って透設した案内部及び該案内部の上端側に筒壁の周方向の一側上方へ屈曲して連続するカム部を具備し、前記第一案内溝は、下端部に周方向へ切り欠いて連設したＬ部を具備し、前記棒状化粧品の収納時には、前記Ｌ部内に前記受皿の前記第一突子を係合させることを特徴とする棒状化粧品容器。」等が知られている（特許文献１）。【０００３】
しかしながら、上記特許文献１に記載されている公知発明は、組み立てるために受皿の下部に対向するように切り欠きを有しているため、受皿の剛性が低くなってしまい、受皿がたわみやすくなってしまうことで、受皿の第一突子が螺溝から外れてしまい、棒状化粧品のくり出しができなくなるという欠点があった。
さらに、棒状化粧品に受皿のたわみによる影響を与えてしまい、受皿の内部で棒状化粧品が折れてしまうという欠点があった。
【先行技術文献】
【特許文献】
【０００４】
【特許文献１】特許第３８９２９２４号公報
【発明の概要】
【発明が解決しようとする課題】
【０００５】
本発明は以上のような従来の欠点に鑑み、組立が容易で、かつ、皿部材がたわみづらい棒状化粧料収納容器を得ることを目的としている。
【課題を解決するための手段】
【０００６】
上記目的を達成するために、本発明の請求項１に記載された棒状化粧料収納容器は、棒状化粧料を保持するとともに下部に係合部を備える皿部材と、前記係合部が係合する皿部材用ガイド溝を有するとともに、身部材に設けられた回転制御部が係合する身部材用切割り溝を有する内筒部材と、前記係合部が係合する誘導溝を備えるとともに、その内周面に前記身部材用切割り溝に係合する前記回転制御部を有する前記身部材と、前記係合部が係合するとともに、皿部材を上下方向に移動させる螺旋溝が内周面に形成された螺旋部材と、前記身部材の下端部に設けられたハカマ部材とで構成され、前記皿部材用ガイド溝は、その下部にクランク状の屈曲部を有するとともに、前記内筒部材の下端部まで達するように形成され、前記身部材用切割り溝は、その下部に円周方向に傾斜する傾斜部を有し、前記螺旋部材を回転させて前記皿部材を上昇させると、前記内筒部材は、前記屈曲部に前記皿部材の係合部が当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇することを特徴とする。【０００７】
請求項２に記載された棒状化粧料収納容器の前記身部材の上端部には、開閉自在な蓋体が設けられ、該蓋体は付勢手段により蓋が閉じる方向に付勢されていることを特徴とする。【０００８】
請求項３に記載された棒状化粧料収納容器の前記付勢手段は、前記身部材の上部及び前記蓋体に形成された１対の係止片と、該１対の係止片に係止された環状の弾性体とで構成されていることを特徴とする。【０００９】
請求項４に記載された棒状化粧料収納容器の前記螺旋部材の表面には、すべり防止機構が設けられていることを特徴とする。【００１０】
請求項５に記載された棒状化粧料収納容器の前記身部材用切割り溝には、前記傾斜部の下端部からさらに円周方向に延在する係止部が形成されており、皿部材を上昇させた場合には、前記係止部に回転制御部が入り込むことを特徴とする。
【発明の効果】
【００１１】
以上の説明から明らかなように、本発明にあっては次に列挙する効果が得られる。
（１）請求項１に記載の発明においては、内筒部材には、その下端部が内筒部材の下端部まで達するクランク状の屈曲部を有する皿部材用ガイド溝を形成しているので、皿部材の係合部を容易に皿部材用ガイド溝に係合（挿入）させることができる。
したがって、容易に組み立てることができる。
（２）皿部材用ガイド溝の下端部から皿部材の係合部を挿入できるため、皿部材に切り欠き等を形成する必要がなく、皿部材の剛性を確保することができ、皿部材をたわみづらくすることができる。
したがって、棒状化粧料に皿部材のたわみによる影響を与えることなく保持することができる。
（３）請求項２及び請求項３に記載された各発明も前記（１）、（２）と同様な効果が得られる。
（４）請求項４に記載された各発明も前記（１）、（２）と同様な効果が得られるとともに、容易に螺旋部材を回転させることができる。
（５）請求項５に記載された発明も前記（１）〜（４）と同様な効果が得られるとともに、身部材用切割り溝の前記傾斜部の下端部から円周方向に延在する係止部を有しているので、皿部材を上死点付近まで移動させた後、上部から下方へ荷重が加えられても係止部に回転制御部が当接し、傾斜部に回転制御部が移動して内筒部材が回転し、作動ピンが挟まれて作動が悪くなることを防止できる。
【図面の簡単な説明】
【００１２】
図１乃至図１０は本発明の第１の実施形態を示す説明図である。
図１１及び図１２は本発明の第２の実施形態を示す説明図である。
図１３及び図１４は本発明の第３の実施形態を示す説明図である。
図１５乃至図２０は本発明の第４の実施形態を示す説明図である。
【図１】第１実施形態の棒状化粧料収納容器の縦断面図。
【図２】皿部材の正面図。
【図３】内筒部材の正面図。
【図４】内筒部材の背面図。
【図５】身部材の正面図。
【図６】身部材の縦断面図。
【図７】皿部材、内筒部材及び身部材の分解斜視図。
【図８】付勢手段の説明図。
【図９】内筒部材を上死点まで上昇させた状態の説明図。
【図１０】皿部材を上死点まで上昇させた状態の説明図。
【図１１】第２実施形態の棒状化粧料収納容器の縦断面図。
【図１２】付勢手段の説明図。
【図１３】第３実施形態の棒状化粧料収納容器の縦断面図。
【図１４】棒状化粧料収納容器の正面図。
【図１５】第４実施形態の収納容器の縦断面図。
【図１６】内筒部材の正面図。
【図１７】内筒部材の背面図。
【図１８】皿部材、内筒部材及び身部材の分解斜視図。
【図１９】内筒部材を上死点まで上昇させた状態の説明図。
【図２０】皿部材を上死点まで上昇させた状態の説明図。
【符号の説明】
【００１３】
１、１Ａ、１Ｂ、１Ｃ：棒状化粧料収納容器、２：棒状化粧料、３：係合部、
４：皿部材、５、５Ａ：皿部材用ガイド溝、６：身部材、７、７Ａ：身部材用切割り溝、８、８Ａ：内筒部材、９：誘導溝、１０：回転制御部、１１：螺旋溝、
１２、１２Ａ：螺旋部材、１３、１３Ａ：ハカマ部材、１４：蓋体、１５：隔壁、
１６：棒状化粧料保持部、１７、１７Ａ：屈曲部、１８：傾斜部、１９：クランク部、
２０：蓋体取付部、２１：一方の係止片、２２：取付片、２３：軸、              ２４：他方の係止片、２５、２５Ａ：付勢手段、２６：弾性体、２７：アーム挿入孔、
２８：ねじりバネ、２９：すべり防止機構、３０：係止部、３１：皿部材用傾斜部。
【発明を実施するための形態】
【００１４】
以下、図面に示す本発明を実施するための形態により、本発明を詳細に説明する。
図１乃至図１０に示す本発明を実施するための第１の形態において、１は本発明の口紅等の棒状化粧料２を収納する棒状化粧料収納容器（以下、「収納容器」という）である。
この収納容器１は、例えば図１に示すように、棒状化粧料２を保持するとともに下部に係合部３（たとえば係合ピン）を有する皿部材４と、該皿部材４の係合部３が係合（挿入）する皿部材用ガイド溝５を有するとともに、身部材６の回転制御部１０（たとえば回転制御ピン）が係合（挿入）する身部材用切割り溝７を有する内筒部材８と、前記皿部材４の係合部３が係合（挿入）する誘導溝９を有するとともに、その内周面に前記身部材用切割り溝７に係合（挿入）する回転制御部１０を有する身部材６と、前記皿部材４の係合部３が挿入され、皿部材４を上下方向に移動させる螺旋溝１１が内周面に形成された螺旋部材１２と、身部材６の下端部に設けられたハカマ部材１３と、前記身部材６の上端部に設けられた蓋体１４とで構成されている。
【００１５】
皿部材４は、図２に示すように、本実施形態では樹脂製で円筒形状に形成され、内部の上端部よりの部位に略水平の隔壁１５が設けられている。この隔壁１５の上部空間が棒状化粧料２を保持する棒状化粧料保持部１６となっている。
【００１６】
皿部材４の外周壁の下端部付近には、前記係合部３が設けられている。この係合部３は、本実施形態では略円柱状の突起となっている。
【００１７】
内筒部材８は、図３及び図４に示すように、本実施形態では金属製で、皿部材４の外周部分を覆うパイプ状の部材である。この内筒部材８は、上部が斜めに切り欠かれた略円筒形状の部材で、その側面には、皿部材用ガイド溝５及び身部材用切割り溝７が形成されている。
【００１８】
皿部材用ガイド溝５は、内筒部材８の上下方向の略中間部位に、その垂直部５ａの上端部が位置し、内筒部材８の下端部付近に水平部１７ａを有するクランク状の屈曲部１７が形成されており、皿部材用ガイド溝５の下端部は内筒部材８の下端部まで達するように形成されている。
【００１９】
このように皿部材用ガイド溝５を形成することにより、この皿部材用ガイド溝５に皿部材４の係合部３を係合する際に、皿部材用ガイド溝５の下端部（内筒部材８の切れ目）から係合部３を係合することができ、皿部材４や内筒部材８を撓ませる必要がなく、容易に組立を行うことができるとともに、皿部材４に切り欠き等を設ける必要がなく、皿部材４の剛性を確保することができる。
【００２０】
また、皿部材用ガイド溝５は、その下端部が内筒部材８の下端部（下端面）まで達しており、内筒部材８の外周の一部が切り欠かれているので、内筒部材８を身部材６に挿入する際に、内筒部材８の下部が撓んで縮径となり回転制御部１０を身部材用切割り溝７に挿入することができる。
【００２１】
皿部材用ガイド溝５には、例えば、クランク状の屈曲部１７を備えており、屈曲部１７は、通常時（棒状化粧料２や皿部材４が下限の位置に位置する時）において、係合部３が屈曲部１７の水平部１７ａに位置するように形成されている。
【００２２】
身部材用切割り溝７は、本実施形態の説明では、皿部材用ガイド溝５と対向する部位に設けられており、内筒部材８の上下方向の略中間部位で、皿部材用ガイド溝５の上端部よりも上方に上端部が位置し、略鉛直下方へ延在し、下部に円周方向に傾斜する傾斜部１８が形成され、下端部が前記屈曲部１７の水平部１７ａ付近に位置するように形成されている。
【００２３】
この身部材用切割り溝７には、本実施形態の説明では、回転制御部１０が挿入され、通常状態においてはこの回転制御部１０が身部材用切割り溝７の略上端部付近に位置する。
身部材６は、図５及び図６に示すように、本実施形態では樹脂製で、内筒部材８の外周を覆う部材である。
【００２４】
この身部材６は、例えば図５で示すように、上部がやや大径となる略円筒形状に形成されており、その外周部には身部材６の下端部まで達する誘導溝９が形成されている。この誘導溝９は、本実施形態ではその下部にクランク状に屈曲したクランク部１９を備えている。この誘導溝９（クランク部１９）の下端部は身部材６の下端面まで達しており、この切れ目から皿部材４の係合部３を挿入することができる。
【００２５】
誘導溝９の下端面が身部材６の下端部まで達しており、また、前述の内筒部材８の皿部材用ガイド溝５の下端部も内筒部材８の下端部まで達しているため、身部材６が若干内径が広がる方向にたわむとともに、内筒部材８が若干外径が狭まる方向にたわむことによって、容易に身部材用切割り溝７に回転制御部１０が挿入される。
【００２６】
また、身部材６の上部の大径部分には、蓋体１４を取り付けるための蓋体取付部２０が形成されている。本実施形態では、身部材６の上部の蓋体取付部２０付近に一方の係止片２１が設けられている。
【００２７】
螺旋部材１２は、本実施形態の説明では、下部の外径が小径となる段付きの円筒形状に形成され、その内周面には螺旋溝１１が形成されている。この螺旋部材１２は、身部材６の大径部分以外の外周を覆う部材である。
【００２８】
前記螺旋溝１１には、皿部材４の係合部３が挿入され、螺旋部材１２を回転させることにより係合部３が螺旋溝１１によって押し上げられ、皿部材４が上方へ持ち上げられる。
ハカマ部材１３は、本実施形態の説明では、有底の円筒形状に形成されており、身部材６の下端部がハカマ部材１３内部に挿入された状態で取り付けられる。なお、螺旋部材１２の下部の小径部分の外周は、このハカマ部材１３の上部部位によって覆われる。
【００２９】
このハカマ部材１３を設けることにより、身部材６の下部が誘導溝９によって切り欠かれていても、身部材６のたわみを抑えることができる。
【００３０】
蓋体１４は、樹脂製で蓋体取付部２０に取り付けられる取付片２２が形成されており、この取付片２２は前記蓋体取付部２０に軸２３により回転可能に軸支される。この軸２３を中心として蓋体１４が回転することにより、身部材６の上部の開口を開閉する。
【００３１】
また、蓋体１４の取付片２２付近の底面には、前記一方の係止片２１と対となる他方の係止片２４が形成されている。本実施形態では、図８に示すように蓋体１４を閉じる方向に付勢する付勢手段２５は、これら１対の係止片２１、２４と、この１対の係止片２１、２４に係止された環状の弾性体２６とで構成されている。この弾性体２６は、蓋体１４が開いた際には弾性体２６が伸長し、蓋体に閉じる方向に付勢力を付与する。
【００３２】
本願発明の収納容器１を使用する場合の皿部材４、内筒部材８及び身部材６の動きを説明する。係合部３が下死点の位置においては、皿部材４の係合部３は、皿部材用ガイド溝５の屈曲部１７の水平部１７ａに位置するとともに、身部材用切割り溝７には回転制御部１０が挿入されている状態なので、内筒部材８は身部材６に対して回転せず、皿部材４の係合部３は前記水平部１７ａから動かない状態である。
【００３３】
前記螺旋部材１２を回転させることにより、図９に示すように、皿部材４の係合部３が螺旋溝１１にそって持ち上げられ皿部材４が上昇する。この時、皿部材４の係合部３は身部材６の誘導溝９に挿入されているので、回転することなく上方に移動する。
【００３４】
また、前記内筒部材８は、屈曲部１７の水平部１７ａに皿部材４の係合部３が当接しているので、皿部材４が内筒部材８を押し上げ、皿部材４と内筒部材８とが同調して上昇する。内筒部材８は単に係合部３で押し上げられているだけであり、また、身部材６の回転制御部１０が身部材用切割り溝７に挿入されているため、回転することなく上方へ移動する。
この時、内筒部材８が蓋体１４を押し上げて身部材６の上端部を開口させる。
【００３５】
そのまま螺旋部材１２を回転させ続け、前記回転制御部１０が身部材用切割り溝７の傾斜部１８まで移動すると、回転制御部１０が内筒部材８の傾斜部１８へ侵入し、それにより内筒部材８が少し回転して上死点に達する。
【００３６】
そうすると、内筒部材８の上昇が停止するとともに、前記誘導溝９の垂直部９ａと前記皿部材用ガイド溝５の垂直部５ａとが略重なる。これに伴って皿部材４の係合部３は、屈曲部１７の水平部１７ａから皿部材用ガイド溝５の垂直部５ａの下端部（下死点）へと移動する。
【００３７】
蓋体１４は、前述したように、内筒部材８と皿部材４が同調して上方へ移動した際に、内筒部材８の上端部に押圧されることにより、付勢手段２５の付勢力に抗して回転して開状態となり、内筒部材８が上死点に位置している状態では、蓋体１４は内筒部材８の外周面に当接しており、棒状化粧料２に影響を与えることなく開状態を維持する。
この状態で螺旋部材１２を回転させることで、内筒部材８はその位置に留まり、皿部材４のみが上昇し、図１０に示すように棒状化粧料２が露出する。
【００３８】
使用後は、棒状化粧料２を収納する場合は、螺旋部材１２を逆方向に回転させて皿部材４を下降させる。皿部材４の係合部３が前記皿部材用ガイド溝５の垂直部５ａの下端部（屈曲部１７）まで達すると、内筒部材８が係合部３により下方へ押圧され、内筒部材８が皿部材４と同調して下方へ移動し始める。そうすると、内筒部材８は身部材用切割り溝７の傾斜部１８により回転し、その後回転することなく下限の位置まで移動し、通常状態に復帰する。
【００３９】
蓋体１４は内筒部材８が身部材６の内部に入る際に付勢手段２５により回転し、身部材６の上部開口を塞ぐ。
【００４０】
[発明を実施するための異なる形態]
次に、図１１乃至図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４１】
図１１及び図１２に示す本発明を実施するための第２の形態において、前記本発明を実施するための第１の形態と主に異なる点は、蓋体１４と身部材６に形成された１対のアーム挿入孔２７と、この１対のアーム挿入孔２７にアームがそれぞれ挿入されるとともに軸２３に軸支されたねじりバネ２８とで蓋体１４を付勢する付勢手段２５Ａを構成した点で、このような付勢手段２５Ａを用いた収納容器１Ａにしても前記本発明を実施するための第１の形態の収納容器と同様な作用効果が得られる。
【００４２】
図１３及び図１４に示す本発明を実施するための第３の形態において、前記本発明を実施するための第１の形態と主に異なる点は、外部に露出する部位の長さを長くしたハカマ部材１３Ａと、外部に露出する長さを短くするとともに、この外部に露出する表面にすべり防止機構２９を設けた螺旋部材１２Ａを用いた点で、このような収納容器１Ｂにしても前記本発明を実施するための第１の形態の収納容器と同様な作用効果が得られるとともに、ハカマ部材１３Ａを手のひらに納めて指で螺旋部材１２Ａを回すことができ、片手で容易に操作することができる。
【００４３】
また、すべり防止機構２９を設けることにより、片手でも容易に螺旋部材１２Ａを回転させることができる。
【００４４】
すなわち、片手で繰り出し、開閉の操作（ワンクリック）が可能となり、より使いやすくなるものである。
【００４５】
ところで、すべり防止機構２９は、本実施形態ではローレット並目状のものを設けているが、例えば、ローレットアヤメ状の模様、装飾、彫刻、すべりにくい塗装等を施して、すべり防止機構２９としてもよい。
なお、このようなすべり防止機構２９は、第１や第２の実施形態の収納容器にも設けることができる。
【００４６】
図１５乃至図２０に示す本発明を実施するための第４の形態において、前記本発明を実施するための第１の形態と主に異なる点は、傾斜部１８に連続するように、傾斜部１８の下端部からさらに円周方向に延在する係止部３０を有する身部材用切割り溝７Ａを形成し、水平部１７ａに連続するように皿部材用傾斜部３１を形成した屈曲部１７Ａを有する皿部材用ガイド溝５Ａを形成した内筒部材８Ａにした点で、このような収納容器１Ｃにしても前記本発明を実施するための第１の形態の収納容器と同様な作用効果が得られる。
ところで、本実施形態の誘導溝９は、その下端部が内筒部材８Ａや身部材６の下端部まで達するように形成することが望ましい。そのように形成することにより、係合部３を皿部材用ガイド溝５Ａや誘導溝９に容易に挿入することができる。
【００４７】
身部材用切割り溝７Ａの傾斜部１８の下端部から円周方向に略水平に延在する係止部３０を形成することにより、皿部材４を上昇させた際に皿部材用傾斜部３１の作用により突起状の回転制御部１０が入り込むため、係止部３０に回転制御部１０が入り込んでいる状態で内筒部材８Ａ等に上方から力が加わっても、係止部３０がその荷重を受けることができ回転制御部１０が傾斜部１８へ入り込むことを防止できる。
【００４８】
そのため、内筒部材８Ａが傾斜部１８に沿って回転し、皿部材用ガイド溝５Ａと誘導溝９に回転制御部１０が挟まれ、回転制御部１０の上下動が妨げられることを防止できる。
なお、本実施形態では、前述の第２の実施形態と同様の付勢手段２５Ａを用いている。
【００４９】
このような収納容器１Ｃを使用する場合の皿部材４、内筒部材８Ａ及び身部材６等の動きを説明する。係合部３が下死点の位置においては、皿部材４の係合部３は、皿部材用ガイド溝５Ａの屈曲部１７の水平部１７ａに位置するとともに、身部材用切割り溝７Ａには回転制御部１０が挿入されている状態なので、内筒部材８Ａは身部材６に対して回転せず、皿部材４の係合部３は前記水平部１７ａから動かない状態である。
【００５０】
前記螺旋部材１２を回転させることにより、皿部材４の係合部３が螺旋溝１１にそって持ち上げられ皿部材４が上昇する。この時、皿部材４の係合部３は身部材６の誘導溝９に挿入されているので、回転することなく上方に移動する。
【００５１】
また、前記内筒部材８Ａは、屈曲部１７の水平部１７ａに皿部材４の係合部３が当接しているので、皿部材４が内筒部材８Ａを押し上げ、皿部材４と内筒部材８Ａとが同調して上昇する。内筒部材８Ａは単に係合部３で押し上げられているだけであり、また、身部材６の回転制御部１０が身部材用切割り溝７Ａに挿入されているため、回転することなく上方へ移動する。
この時、内筒部材８Ａが蓋体１４を押し上げて身部材６の上端部を開口させる。
【００５２】
そのまま螺旋部材１２を回転させ続け、前記回転制御部１０が身部材用切割り溝７Ａの傾斜部１８まで移動すると、回転制御部１０が内筒部材８Ａの傾斜部１８へ侵入し、それにより内筒部材８Ａが少し回転して内筒部材８Ａの上死点に達する。
【００５３】
そうすると、内筒部材８Ａの上昇が停止するとともに、前記誘導溝９の垂直部９ａと前記皿部材用ガイド溝５Ａの垂直部５ａとが略重なる。これに伴って皿部材４の係合部３は、屈曲部１７Ａの水平部１７ａから皿部材用ガイド溝５Ａの垂直部５ａの下端部（下死点）へと移動する。
【００５４】
蓋体１４は、前述したように、内筒部材８Ａと皿部材４が同調して上方へ移動した際に、内筒部材８Ａの上端部に押圧されることにより、付勢手段２５Ａの付勢力に抗して回転して開状態となり、内筒部材８Ａが上死点に位置している状態では、蓋体１４は内筒部材８Ａの外周面に当接しており、棒状化粧料２に影響を与えることなく開状態を維持する。
【００５５】
この状態で螺旋部材１２を回転させることで、内筒部材８Ａはその位置に留まり、皿部材４のみが上昇し、図２０に示すように棒状化粧料２が露出する。
【００５６】
皿部材４が上死点付近まで上昇すると、係合部３は皿部材用ガイド溝５Ａに形成された皿部材用傾斜部３１に入り込み、これに伴って皿部材４及び内筒部材８Ａが周方向へ若干回転する。内筒部材８Ａは、回転制御部１０によりこれ以上上方へ移動できないため、上方への移動を伴わずに周方向に回転する。
【００５７】
そうすると、回転制御部１０が傾斜部１８の下端部から円周方向に延在する係止部３０に入り込み、回転制御部１０と係止部３０とが係合状態となる。
【００５８】
一方、係合部３も屈曲部１７Ａの水平部１７ａに入り込み、皿部材４も上死点に達する。
【００５９】
この状態においては、内筒部材８Ａ等に上方から力が加わっても、係止部３０と回転制御部１０が上下方向に当接している状態となっているため、係止部３０が上方からの荷重を受けることができ回転制御部１０が傾斜部１８へ入り込むことを防止できる。
【００６０】
そのため、内筒部材８Ａが傾斜部１８に沿って回転し、皿部材用ガイド溝５と誘導溝９に回転制御部１０が挟まれ、回転制御部１０上下動が妨げられることを防止できる。
【００６１】
使用後、棒状化粧料２を収納する場合は、螺旋部材１２を逆方向に回転させて皿部材４を下降させる。皿部材４の係合部３が前記皿部材用ガイド溝５Ａの垂直部５ａの下端部（水平部１７ａ）まで達すると、内筒部材８Ａが係合部３により下方へ押圧され、内筒部材８Ａが皿部材４と同調して下方へ移動し始める。そうすると、内筒部材８Ａは身部材用切割り溝７Ａの傾斜部１８により回転し、その後回転することなく下限の位置まで移動し、通常状態に復帰する。
【００６２】
蓋体１４は内筒部材８Ａが身部材６の内部に入る際に付勢手段２５Ａにより回転し、身部材６の上部開口を塞ぐ。
【産業上の利用可能性】
【００６３】
本発明の棒状化粧料収納容器は、口紅、リップクリーム、スチックアイシャドウ、スチックチーク、スチックファンデーション、コンシーラー、日焼け止め化粧料、アイクリーム、整髪料等の固形化した棒状化粧料を収納する容器を製造する分野や化粧品分野の産業で利用される。
【図１】
2019142847.tif 000003
【図２】
2019142847.tif 000004
【図３】
2019142847.tif 000005
【図４】
2019142847.tif 000006
【図５】
2019142847.tif 000007
【図６】
2019142847.tif 000008
【図７】
2019142847.tif 000009
【図８】
2019142847.tif 000010
【図９】
2019142847.tif 000011
【図１０】
2019142847.tif 000012
【図１１】
2019142847.tif 000013
【図１２】
2019142847.tif 000014
【図１３】
2019142847.tif 000015
【図１４】
2019142847.tif 000016
【図１５】
2019142847.tif 000017
【図１６】
2019142847.tif 000018
【図１７】
2019142847.tif 000019
【図１８】
2019142847.tif 000020
【図１９】
2019142847.tif 000021
【図２０】
2019142847.tif 000022
【国際調査報告】
2019142847.tif 000023
2019142847.tif 000024
2019142847.tif 000025
2019142847.tif 000026